(57)【要約】【課題】使い勝手が良く、且つ、簡易な構成で吐出体から水道水がシンク外等に吐出されることを防止できる水栓装置を提供する。【解決手段】平面視でシンク３の周縁部からシンク３内に向けて突出する給水管４と、給水管４の先端部に連結管５を介して設けられて給水管４から供給された水道水をシンク３内に吐出する吐出体６を備える。給水管４の先端部に連結管５の一端部を所定方向にのみ回動可能に連結すると共に吐出体６を連結管５の他端部に前記所定方向とは異なる方向にのみ回動可能に連結する。連結管５の給水管４に対する回動範囲を規制する給水管側回動規制手段と、吐出体６の連結管５に対する回動範囲を規制する吐出体側回動規制手段とを個別に設ける。これら給水管側回動規制手段及び吐出体側回動規制手段により吐出体６の可動範囲を規制する。【選択図】図１
2010275716.tif 000002
【特許請求の範囲】
【請求項１】
平面視でシンクの周縁部からシンク内に向けて突出する給水管と、給水管の先端部に連結管を介して設けられて給水管から供給された水道水をシンク内に吐出する吐出体を備えた水栓装置であって、前記給水管の先端部に連結管の一端部を所定方向にのみ回動可能に連結すると共に吐出体を連結管の他端部に前記所定方向とは異なる方向にのみ回動可能に連結し、前記連結管の給水管に対する回動範囲を規制する給水管側回動規制手段と、前記吐出体の連結管に対する回動範囲を規制する吐出体側回動規制手段とを個別に設け、これら給水管側回動規制手段及び吐出体側回動規制手段により前記吐出体の可動範囲を規制して成ることを特徴とする水栓装置。
【請求項２】
給水管側回動規制手段及び吐出体側回動規制手段により、前記吐出体から吐出される水道水が常にシンク内に落下するよう吐出体の可動範囲が規制されることを特徴とする請求項１に記載の水栓装置。
【発明の詳細な説明】
【技術分野】
【０００１】
本発明は水道水を吐出する部分を可動式にした水栓装置に関する。
【背景技術】
【０００２】
従来、流し台のシンクの周縁部等に設けられる水栓装置としては、水道水を吐出する部分を固定的に設けた固定式のものがある。
【０００３】
ところで、水栓装置を用いて食器や調理器具等の被洗浄物を洗うには、吐出体から吐出された水道水を狙いの被洗浄物の汚れに当てるのだが、前記固定タイプの水栓装置の場合、被洗浄物を持ち上げて吐出体から吐出される水道水に当たる位置に配置することとなる。このため、被洗浄物が重い調理器具等である場合には、重い調理器具を持って動かしながら被洗浄物を洗浄する必要があり、特に女性や高齢者にとっては作業負担が大きい。
【０００４】
また、特許文献１には、横方向に突出する給水管の先端部に洗浄水を吐出する吐出体をボールジョイントを介して遊動自在に連結した可動式のシャワー装置が開示されており、前記吐出体の向きは手元で様々な向きに変更することができて使い勝手が良い。
【先行技術文献】
【特許文献】
【０００５】
【特許文献１】実開平２−０８９９８９号公報
【発明の概要】
【発明が解決しようとする課題】
【０００６】
ところで特許文献１は、吐出体をボールジョイントを介して給水管に連結しており、吐出体の回動方向が制限されていない。このため、吐出体の可動範囲を、例えば吐出体から吐出される水道水がシンク内に常に吐出されるような狭い範囲に制限することが難しい。
【０００７】
本発明は上記従来の事情に鑑みてなされたものであって、使い勝手が良く、且つ、簡易な構成で吐出体の可動範囲を水道水がシンク内に常に吐出されるような狭い範囲に制限することができる水栓装置を提供することを課題とする。
【課題を解決するための手段】
【０００８】
上記課題を解決するために本発明は以下の構成を有する。平面視でシンク３の周縁部からシンク３内に向けて突出する給水管４と、給水管４の先端部に連結管５を介して設けられて給水管４から供給された水道水をシンク３内に吐出する吐出体６を備える。前記給水管４の先端部に連結管５の一端部を所定方向にのみ回動可能に連結すると共に吐出体６を連結管５の他端部に前記所定方向とは異なる方向にのみ回動可能に連結する。前記連結管５の給水管４に対する回動範囲を規制する給水管側回動規制手段と、前記吐出体６の連結管５に対する回動範囲を規制する吐出体側回動規制手段とを個別に設ける。これら給水管側回動規制手段及び吐出体側回動規制手段により前記吐出体６の可動範囲を規制する。
【０００９】
また、給水管側回動規制手段及び吐出体側回動規制手段により、前記吐出体６から吐出される水道水が常にシンク３内に落下するよう吐出体６の可動範囲が規制されることが好ましい。
【発明の効果】
【００１０】
本発明にあっては、給水管の先端部に連結管の一端部を所定方向にのみ回動可能に連結すると共に吐出部を連結管の他端部に前記所定方向とは異なる方向にのみ回動可能に連結することで、吐出部を任意の方向に向けることができ、使い勝手が良い。さらに、給水管部側回動規制手段及び吐出部側回動規制手段により吐出体の可動範囲を規制することで、吐出体から水道水がシンク外等に吐出されることを防止できる。また、給水管側回動規制手段と吐出体側回動規制手段を個別に設けてあるので、簡易な構成で夫々の回動規制を確実に行うことができる。
【図面の簡単な説明】
【００１１】
【図１】本発明の実施の形態の一例の吐出体を最大限右側に回動した状態を示す断面図である。
【図２】同上の水栓装置を設けた流し台の斜視図である。
【図３】同上の水栓装置の斜視図である。
【図４】同上の吐水体を最大限上方に回動した状態を示す側断面図である。
【図５】同上の水栓装置の要部の水平断面図である。
【図６】（ａ）は連結管の斜視図であり、（ｂ）は管の斜視図である。
【発明を実施するための形態】
【００１２】
以下、本発明を添付図面に示す実施形態に基づいて説明する。本実施形態の一例の水栓装置１は図２のように流し台２に設けられたキッチン用のシンク３の周縁部上に立設され、食器や調理器具等の被洗浄物を洗浄するための液体として水道水のみを吐出するものである。なお、水栓装置１から吐出する水道水としては、上水道から供給された水道水をそのまま吐出するものの他、上水道から供給された水道水を浄水器等で浄化することで得られる水や、給湯器等で加熱された湯等の処理がなされた水道水を吐出するもの、これらを選択的に吐出できるようにしたもの等であってもよい。
【００１３】
図３に示すように、水栓装置１は、シンク３の周縁部上に立設される給水管４と、給水管４の先端部に設けられる連結管５と、連結管５を介して給水管４に接続される吐出体６で構成されている。
【００１４】
給水管４は、シンク３の開口後縁部から上方に向けて突設される縦管部７と、縦管部７の上端部からシンク３側となる前方に向けて突設される横管部８で構成されている。つまり、給水管４は平面視でシンク３の周縁部からシンク３内に向けて突出している。なお、給水管４としてはこれに限定されず、例えばシンク３の後方に立設した壁部から前方に突出する横管等で構成されるものであってもよい。
【００１５】
連結管５の後端部はシンク３の上方に配置される横管部８の前端部に連結されている。吐出体６は上端部が横管状の連結管５の前部に接続され、シンク３の上方に配置されている。吐出体６は連結管５から略垂直に突出し、下部が横管部８よりも下方に配置されている。
【００１６】
図４に示すように、給水管４、連結管５、及び吐出体６の内部には、給水路９、連結路１０、吐出路１１が夫々形成され、これら流路９〜１１で吐出口に水道水が供給される水路１４が構成されている。水路１４に供給された水道水は水道圧により給水路９、連結路１０、吐出路１１を順に流れた後、吐出体６に設けられた吐出口からシンク３内に向けて吐出される。
【００１７】
給水路９の上流部には水路１４における水道水の通水・止水の切替えと、通水量を調整するための流量調整弁（図示せず）が設けられている。図３のように縦管部７の下部には前記流量調整弁の開度を変更する操作部として回動自在のレバー１５が設けられ、使用者がレバー１５を回動操作することで、水道水の吐出の有無と吐出量が変更される。
【００１８】
吐出体６は略円柱状の外形を有し、図４に示すように内部に吐出路１１が形成されたノズル１６を備えている。ノズル１６は、吐出体６の後部に設けられる管１７と、吐出体６の下端部に設けられる吐水部１８で構成されている。
【００１９】
管１７は逆Ｌ字状に屈曲し、上下に長い直管状の主部１９と、主部１９の上端部から後方に向けて突出する接続口部２０とで構成されている。管１７は上流側端部を構成する接続口部２０が連結管５の前部に接続されている。
【００２０】
吐水部１８は管１７よりも大径となる円柱状の外形を有し、吐出体６の下端部を構成している。吐水部１８の下部には管１７の内部に形成された流路２１よりも流路面積の大きい拡大流路２２が形成され、拡大流路２２の後部は流路２１に連通し、拡大流路２２と流路２１とで吐出路１１が構成されている。
【００２１】
吐水部１８の下面部（すなわち吐出体６の下端面部）に亘って上下に貫通して拡大流路２２に連通する多数の孔（図示せず）が形成されている。これら多数の孔は流路２１及び拡大流路２２を順に流れた洗浄水をシャワー状に吐出するものであり、本例ではこれら多数の孔により吐出口が構成されている。
【００２２】
連結管５は後端部が横管部８に上下方向にのみ回動可能に連結してあると共に、前部が吐出体６に左右方向にのみ回動可能に連結してあり、これによって吐出体６は横管部８に対して前後方向及び左右方向に回動できるようにしてある。以下、この構成につき詳述する。
【００２３】
図５に示すように連結管５の後端部は他部の外径よりも直径の大きい球面状の外面を有する嵌合部２４となっている。なお、図５中の矢印は水道水の流れ方向を示すものである。
【００２４】
嵌合部２４の両側には左右方向の外側に向けて突出する回動軸２５が形成されている。嵌合部２４の後端部の外面及び連結管５の前部の外面には収納溝２６、２７が周設され、各収納溝２６、２７にはＯリング２８、２９が収納されている。
【００２５】
横管部８の前端部には給水路９の下流側端部を構成する球面状の内面を有した保持凹部３０が形成され、保持凹部３０の左右両側の内面には軸受け部３２が形成されている。保持凹部３０には嵌合部２４がＯリング２８を介して回動可能に嵌め込まれて保持されている。
【００２６】
各回動軸２５は軸受け部３２に左右軸回り方向に回動可能に枢支され、これにより連結管５は横管部８に対して上下方向にのみ回動可能となっている。連結管５の後側に設けたＯリング２８は嵌合部２４の外周面と保持凹部３０の内周面の間を水密する。また、Ｏリング２８は、保持凹部３０の内周面との摩擦抵抗により、横管部８に対して回動された連結管５を保持する役割も果たし、これによって吐出体６を横管部８に対する前後方向の回動角度を所望の角度とした状態で保持することができる。
【００２７】
連結管５の前端部は管１７の接続口部２０にＯリング２９を介して回動可能に挿入されている。これにより、ノズル１６は連結管５に対して左右方向（すなわち、連結管５の軸回り方向）にのみ回動可能となっている。連結管５の前側に設けたＯリング２９は連結管５の外周面と接続口部２０の内周面の間を水密する。また、Ｏリング２９は、接続口部２０の内周面との摩擦抵抗により、連結管５に対して回動されたノズル１６を保持する役割も果たし、これによって吐出体６を横管部８に対する左右方向の回動角度を所望の角度とした状態で保持することができる。
【００２８】
上記構成により、被洗浄物を洗う際には、吐出体６を前後方向及び左右方向に回動して吐出口の向きを任意の向きに変更して、該吐出口から吐出される水道水を被洗浄物の所望部位に当てることができる。このため、重い調理器具等を持って動かしながら被洗浄物を洗浄するといった作業をする必要がなくなり、作業負担を軽減できる。
【００２９】
なお、管１７に挿入された連結管５の抜け止めは、接続口部２０の周壁部に形成された通孔３３（図６参照）から接続口部２０内にＣリング３４を挿入し、該Ｃリング３４を接続口部２０内の連結管５の前端部に被着すると共にＣリング３４の周方向の一部を通孔３３の孔縁に係止することで行われている。
【００３０】
さらに、本発明の水栓装置１には、連結管５の給水管４に対する上下方向の回動範囲を規制する給水管側回動規制手段と、吐出体６の連結管５に対する左右方向の回動範囲を規制する吐出体側回動規制手段が個別に設けられており、以下、この構成につき詳述する。
【００３１】
図１に示すように、給水路９の下流側端部は前方に開口する半球以下の球面からなる凹面３５で構成されており、該凹面３５の前端部の左右両側には前方に開口する段部３６が形成されている。凹面３５には嵌合部２４が収納され、左右の段部３６の夫々には回動軸２５が収納されている。
【００３２】
横管部８の先端部にはキャップ３７が凹面３５の前方に位置するように設けられており、キャップ３７の凹面３５に対向する部位には、前後方向に貫通して嵌合部２４の最大外径よりも小径の孔３８が形成され、該孔３８には嵌合部２４の前部が挿通されている。
【００３３】
キャップ３７の孔３８の周縁部は段部３６の前方を閉塞し、該孔３８の周縁部と段部３６とで軸受け部３２が構成され、また、キャップ３７の孔３８の周縁部と凹面３５で保持凹部３０が構成されている。
【００３４】
キャップ３７の孔３８の上縁部は、図４に示すように、連結管５を横管部８に対して最大限上方に回動させたときに、接続口部２０又は連結管５が当たる上側当接部３９となる。上側当接部３９により、連結管５のそれ以上の上方への回動が規制される。また、キャップ３７の孔３８の下縁部は、連結管５を横管部８に対して最大限下方に回動させたときに、接続口部２０又は連結管５が当たる下側当接部４０となる。この下側当接部４０により、連結管５のそれ以上の下方への回動が規制される。すなわち、上側当接部３９及び下側当接部４０と、これらが当たる接続口部２０又は連結管５で、給水管側回動規制手段が構成されている。
【００３５】
給水管側回動規制手段により、吐出体６は吐出口の向きが前斜め下方から後斜め下方となるまでの範囲内でのみ前後に回動できるようになっている。
【００３６】
また、図６（ａ）に示すように連結管５の前端面には前方に突出するストッパ部４２が上下に２個一体に設けられ、図６（ｂ）に示すように管１７の接続口部２０の内周面の周方向の一部には突起４３が一体に突設されている。
【００３７】
図１に示すように、管１７を連結管５に対して最大限右側に回動させたときに、突起４３は一方のストッパ部４２に当接する。これにより、管１７、ひいては吐出体６は、それ以上の右方への回動が規制される。同様に、管１７を連結管に対して最大限左側に回動させたときに、突起４３は他方のストッパ部４２に当接する。これにより、管１７、ひいては吐出体６は、それ以上の左方への回動が規制される。すなわち、両ストッパ部４２と突起４３で吐出体側回動規制手段が構成されている。
【００３８】
吐出体側回動規制手段により、吐出体６は吐出口の向きが左斜め下方から右斜め下方となるまでの範囲内でのみ左右に回動できるようになっている。
【００３９】
給水管側回動規制手段及び吐出体側回動規制手段により規制される吐出体６の可動範囲は、吐出体６の回動位置や吐出体６から吐出される水道水の吐出量等の変化に関わらず、吐出体６から吐出される水道水が常にシンク３内に落下するよう設定されている。このため、吐出体６から水道水がシンク３外に吐出されることを確実に防止できる。また、給水管側回動規制手段と吐出体側回動規制手段を個別に設けてあるので、吐出体６の前後方向及び左右方向の回動規制を簡易な構成で確実に行うことができる。
【００４０】
また、本実施形態の水栓装置１のように水道圧で水道水を吐出するものは、水道圧に応じて水道水の最大吐出量が変化し、水道圧が高い場合に吐出体６から吐出された水道水がシンク３外に吐出される恐れがある。このため、前記水路１４や水路１４の上流側に定流量弁を設けることが好ましい。この場合、水道圧に応じて変化する水道水の最大吐出量を略一定にすることができ、水道圧が高い場合にも水道水がシンク３外に吐出されることを確実に防止できる。
【００４１】
なお、給水管４に対する連結管５の回動方向と、連結管５に対する吐出体６の回動方向は、互いに異なるものであれば前記上下方向や左右方向以外の方向であってもよいものとする。また、この他、吐出体６の可動範囲を広げるために横管部８を前後方向に伸縮自在なものとする等してもよい。
【００４２】
また、給水管側回動規制手段及び吐出体側回動規制手段により規制される吐出体６の可動範囲は、上記実施形態のように、吐出体６から吐出される水道水が常にシンク３内に落下する範囲に設定することが好ましいが、例えば水道水が前記シンク３内の他にシンク３の周縁部上にも吐出されるように設定したり、流し台２の上面以外の箇所に吐出されないように設定してもよいものとする。
【符号の説明】
【００４３】
１  水栓装置
３  シンク
４  給水管
５  連結管
６  吐出体
【図１】
2010275716.tif 000003
【図２】
2010275716.tif 000004
【図３】
2010275716.tif 000005
【図４】
2010275716.tif 000006
【図５】
2010275716.tif 000007
【図６】
2010275716.tif 000008